(57)【要約】【課題】水圧の影響によらず安定して水道用メータを圧着保持でき、水道用メータが地中深くに設置される場合であっても地上から着脱操作を容易に行える水道用メータリリースおよびその組み付け方法を提供する。【解決手段】水道用メータＭを流路軸Ｏ１方向両側から保持する第２ホルダ２および第１ホルダ３を備え、第２ホルダ２に水道用メータＭの着脱機構６を備えた水道用メータリリース１であって、着脱機構６は、前進時に水道用メータＭの端部に圧着するピストン７と、第１ホルダ２に、流路軸Ｏ１方向と略直交する回転軸Ｏ２回りに回転自在に支持されたハンドル８と、ハンドル８と螺合し、ハンドル８の回転力を受けて送りねじ作用により回転軸Ｏ２に沿って移動する駆動ねじ９と、駆動ねじ９とピストン７との間に介設された斜行案内溝孔１９およびガイドピン１７を有し、駆動ねじ９の移動をピストン７の移動に変換する移動方向変換機構１０と、を備える。【選択図】図１
2018096738.tif 000002
【特許請求の範囲】
【請求項１】
水道用メータを流路方向両側から保持する一対のホルダを備え、一方のホルダに前記水道用メータの着脱機構を備えた水道用メータリリースであって、
前記着脱機構は、
内部に流路を有して流路方向に移動自在であり、前進時に前記水道用メータの端部に圧着するピストンと、
前記一方のホルダに、流路方向と略直交する回転軸回りに回転自在に支持されたハンドルと、
前記ハンドルと螺合し、前記ハンドルの回転力を受けて送りねじ作用により前記回転軸に沿って移動する駆動ねじと、
前記駆動ねじと前記ピストンとの間に介設された長孔および該長孔を摺動するガイドピンを有し、前記駆動ねじの移動を前記ピストンの移動に変換する移動方向変換機構と、
を備えることを特徴とする水道用メータリリース。
【請求項２】
前記長孔は前記ピストンに設けられ、前記ガイドピンは前記駆動ねじに設けられていることを特徴とする請求項１に記載の水道用メータリリース。
【請求項３】
前記駆動ねじは、前記ハンドルに螺合する雄ねじ部と、前記ピストンに形成された一対の回転規制壁に挟まれて前記回転軸回りの回転が規制されるピストン連結部と、を備えることを特徴とする請求項１または請求項２に記載の水道用メータリリース。
【請求項４】
前記一方のホルダは前記水道用メータの下流側を保持するホルダであり、
該一方のホルダに、前記ピストンが後退したとき該ピストンに圧着して下流側から該ピストン内への戻り水の浸入を阻止する戻り水防止機構を備えることを特徴とする請求項１ないし請求項３のいずれか一項に記載の水道用メータリリース。
【請求項５】
水道用メータを流路方向両側から保持する一対のホルダを備え、一方のホルダに前記水道用メータの着脱機構を備えた水道用メータリリースの組み付け方法であって、
前記着脱機構は、
内部に流路を有して流路方向に移動自在であり、前進時に前記水道用メータの端部に圧着するピストンと、
前記一方のホルダに、流路方向と略直交する回転軸回りに回転自在に支持されたハンドルと、
前記ハンドルと螺合し、前記ハンドルの回転力を受けて送りねじ作用により前記回転軸に沿って移動する駆動ねじと、
前記駆動ねじと前記ピストンとの間に介設された長孔および該長孔を摺動するガイドピンを有し、前記駆動ねじの移動を前記ピストンの移動に変換する移動方向変換機構と、
を備え、
前記ピストンと前記駆動ねじとを前記移動方向変換機構を介して組み付ける工程と、
組み付けた状態の前記ピストンと前記駆動ねじとを前記一方のホルダの内部に挿入する工程と、
前記ハンドルを回転させ、前記一方のホルダの内部で前記ハンドルと前記駆動ねじとを螺合させる工程と、
を行うことを特徴とする水道用メータリリースの組み付け方法。
【発明の詳細な説明】
【技術分野】
【０００１】
本発明は、水道用メータを着脱自在に装着するための水道用メータリリースおよびその組み付け方法に関する。
【背景技術】
【０００２】
水道用メータリリースとして、水道用メータを流路方向両側から保持する一対のホルダを備え、一方のホルダに水道用メータの着脱機構を備えたものが知られている（例えば特許文献１，２参照）。
【０００３】
前記着脱機構として、特許文献１には、流路方向に前後進自在に設けられた締着筒と、操作ハンドルにより作動するカム機構と、締着筒を常時水道用メータ側に前進するように付勢するスプリングと、を備えた構成が記載されている。そして、カム機構もしくはストッパでスプリングの付勢力に抗して締着筒を後退させて水道用メータを着脱し、水道用メータの装着後にスプリングの付勢力で締着筒を前進させ水道用メータに圧着することが記載されている。
【０００４】
特許文献２には、流路方向に前後進自在に設けられ、外周に雄ねじが形成されたアダプタと、アダプタの雄ねじに螺合するねじ部を有し、流路方向の軸心回りに回転するホルダハンドルと、を備えた構成が記載されている。そして、ホルダハンドルを回転させ、雄ねじとねじ部との送りねじ作用によってアダプタを前進させて水道用メータに圧着することが記載されている。
【先行技術文献】
【特許文献】
【０００５】
【特許文献１】特開２００３−８３７７８号公報
【特許文献２】登録実用新案第３０４３２０８号公報
【発明の概要】
【発明が解決しようとする課題】
【０００６】
特許文献１の技術は、スプリングの付勢力により締着筒を水道用メータに圧着する構造であるため、もし締着部から漏水した場合には増し締めができないという問題がある。また、流路径が大きくなるほど水圧の影響を受けやすいため、スプリングの付勢力では圧着力が不足するおそれがある。
【０００７】
特許文献２の技術は、送りねじ機構を用いているので、締着部から漏水した場合には増し締めできるという利点がある。しかし、送りねじ機構を作動させるホルダハンドルが流路方向の軸心回りに回転する構造のため、水道用メータリリースが地中等の狭隘な空間に設置される場合には、地上からホルダハンドルを回転操作しづらいという問題がある。
【０００８】
本発明はこのような課題を解決するために創作されたものであり、水圧の影響によらず安定して水道用メータを圧着保持でき、水道用メータが地中深くに設置される場合であっても地上から着脱操作を容易に行える水道用メータリリースおよびその組み付け方法を提供することを目的とする。
【課題を解決するための手段】
【０００９】
前記課題を解決するため、本発明は、水道用メータを流路方向両側から保持する一対のホルダを備え、一方のホルダに前記水道用メータの着脱機構を備えた水道用メータリリースであって、前記着脱機構は、内部に流路を有して流路方向に移動自在であり、前進時に前記水道用メータの端部に圧着するピストンと、前記一方のホルダに、流路方向と略直交する回転軸回りに回転自在に支持されたハンドルと、前記ハンドルと螺合し、前記ハンドルの回転力を受けて送りねじ作用により前記回転軸に沿って移動する駆動ねじと、前記駆動ねじと前記ピストンとの間に介設された長孔および該長孔を摺動するガイドピンを有し、前記駆動ねじの移動を前記ピストンの移動に変換する移動方向変換機構と、を備えることを特徴とする。
【００１０】
本発明によれば、次のような効果が奏される。
（１）ねじの締結力を利用してピストンを水道用メータに圧着させる構造なので、スプリングの付勢力で圧着させる構造に比して水圧の影響を受けにくく、圧着状態を安定して維持できる。
（２）ねじの締結力を利用しているので、仮にピストンと水道用メータとの圧着部で漏水したとしても、ねじの増し締めにより圧着力を容易に高めることができる。
（３）流路軸方向と直交する回転軸回りに回転するハンドルを備えているので、水道用メータが地中深くに設置される場合であっても、地上から開栓器等を利用してハンドルの回転操作を容易に行える。
（４）着脱機構が簡単な構造で済むので、水道用メータリリースの小型・軽量化が可能となる。
（５）送りねじの構造として、ハンドルとピストンとの間に駆動ねじを設けたことにより、組み付け作業の容易な水道用メータリリースとなる。
【００１１】
また、本発明は、前記長孔は前記ピストンに設けられ、前記ガイドピンは前記駆動ねじに設けられていることを特徴とする。
【００１２】
本発明によれば、移動方向変換機構の構造を簡略化できる。
【００１３】
また、本発明は、前記駆動ねじは、前記ハンドルに螺合する雄ねじ部と、前記ピストンに形成された一対の回転規制壁に挟まれて前記回転軸回りの回転が規制されるピストン連結部と、を備えることを特徴とする。
【００１４】
本発明によれば、送りねじの構造を簡略化できる。
【００１５】
また、本発明は、前記一方のホルダは前記水道用メータの下流側を保持するホルダであり、該一方のホルダに、前記ピストンが後退したとき該ピストンに圧着して下流側から該ピストン内への戻り水の浸入を阻止する戻り水防止機構を備えることを特徴とする。
【００１６】
本発明によれば、ねじの締結力を利用して、戻り水防止機構の圧着力を確保できるので、圧着状態を安定して維持できる。仮にピストンと戻り水防止機構との圧着部で漏水したとしても、ねじの増し締めにより圧着力を容易に高めることができる。
【００１７】
また、本発明は、水道用メータを流路方向両側から保持する一対のホルダを備え、一方のホルダに前記水道用メータの着脱機構を備えた水道用メータリリースの組み付け方法であって、前記着脱機構は、内部に流路を有して流路方向に移動自在であり、前進時に前記水道用メータの端部に圧着するピストンと、前記一方のホルダに、流路方向と略直交する回転軸回りに回転自在に支持されたハンドルと、前記ハンドルと螺合し、前記ハンドルの回転力を受けて送りねじ作用により前記回転軸に沿って移動する駆動ねじと、前記駆動ねじと前記ピストンとの間に介設された長孔および該長孔を摺動するガイドピンを有し、前記駆動ねじの移動を前記ピストンの移動に変換する移動方向変換機構と、を備え、前記ピストンと前記駆動ねじとを前記移動方向変換機構を介して組み付ける工程と、組み付けた状態の前記ピストンと前記駆動ねじとを前記一方のホルダの内部に挿入する工程と、前記ハンドルを回転させ、前記一方のホルダの内部で前記ハンドルと前記駆動ねじとを螺合させる工程と、を行うことを特徴とする。
【００１８】
本発明によれば、狭隘なホルダの内部に何ら手や治具等を差し込むことなく、ハンドルによる外部からの簡単な回転操作で、ホルダの内部で着脱機構を組み付けることができる。
【発明の効果】
【００１９】
本発明によれば、水圧の影響によらず安定して水道用メータを圧着保持でき、水道用メータが地中深くに設置される場合であっても地上から着脱操作を容易に行える。
【図面の簡単な説明】
【００２０】
【図１】水道用メータを保持した状態での本発明に係る水道用メータリリースの正面断面図である。
【図２】水道用メータを外し、ピストンが前進した状態での本発明に係る水道用メータリリースの正面断面図である。
【図３】水道用メータを外し、ピストンが前進した状態での本発明に係る水道用メータリリースの平面図である。
【図４】本発明に係る水道用メータリリースの右側面図である。
【図５】ピストンおよび駆動ねじ周りの分解斜視図である。
【図６】ピストンが前進した状態の着脱機構の正面断面図である。
【図７】ピストンが後退した状態の着脱機構の正面断面図である。
【図８】水道用メータが地中深くに設置されている場合の、水道用メータの取り外し手順を示す作用説明図である。
【図９】水道用メータおよびその付随品を分解した状態の正面図である。
【発明を実施するための形態】
【００２１】
図１ないし図４に示すように、本発明に係る水道用メータリリース（以降、単にメータリリースという）１は、水道用メータ（以降、単にメータという）Ｍを流路軸Ｏ１方向の両側から保持する一対のホルダとしての第１ホルダ３および第２ホルダ２を備えている。第２ホルダ２および第１ホルダ３は、それぞれ給水器具に連結される。第２ホルダ２と第１ホルダ３には、図４に示すように、それぞれ流路軸Ｏ１を挟んだ上下左右の位置から径外方向に延びる４つの連結座２Ａ，３Ａ（図３）が形成されており、図３に示すように、流路軸Ｏ１方向に互いに対向し合う連結座２Ａ，３Ａ間に掛け渡した４本の連結棒４により第２ホルダ２と第１ホルダ３とが互いに連結されている。下方の２本の連結棒４の間には、メータＭの落下を防止するための落下防止部材５が掛け渡されている。また、下方の連結座２Ａ，３Ａには、下方に延びて所定の設置面に設置される脚部２Ｂ，３Ｂが形成されている。
【００２２】
図１に示すように、メータＭは、流路方向一端側（本実施形態では上流側）にナット５１が螺合し、他端側には逆止弁５２を内蔵した逆止弁アダプタ５３が螺合している。ナット５１には、メータＭとの間を封止するＯリング５４が取り付けられているとともに、第１ホルダ３との間を封止するパッキン５５が取り付けられている。逆止弁５２には、メータＭとの間を封止するガスケット５６が取り付けられ、逆止弁アダプタ５３には、後記するピストン７との間を封止するパッキン５７が取り付けられている。
【００２３】
一方の第２ホルダ２は、メータＭの着脱機構６を備えている。着脱機構６は、ピストン７とハンドル８と駆動ねじ９と移動方向変換機構１０とを備えて構成されている。先ず、第２ホルダ２のハウジングについて説明すると、当該ハウジングは第１ハウジング１１と第２ハウジング１２と第３ハウジング１３とに３分割に構成されている。第１ハウジング１１は、概ね、流路軸Ｏ１を中心とし両端が開口した横筒状を呈し、ピストン７を摺動自在に支持するピストン収容部１１Ａと、ピストン収容部１１Ａの上部に突設されて上端が開口した縦筒状を呈し、内部に駆動ねじ９が配置される駆動ねじ収容部１１Ｂと、を備えた形状からなる。駆動ねじ収容部１１Ｂの上部には雌ねじが形成されており、第２ハウジング１２の下部に形成された雄ねじと螺合している。ピストン収容部１１Ａの一端側には、逆止弁アダプタ５３を載置するための、流路軸Ｏ１方向視で円弧状を呈したメータ支持部１１Ｃが突設されている。なお、同様のメータ支持部は第１ホルダ３側にも形成されている。
【００２４】
第２ハウジング１２は、概ね、ハンドル８の回転軸Ｏ２を中心とし上下端が開口した縦筒状を呈しており、内部にハンドル８が収容される。第２ハウジング１２は前記したように螺合により第１ハウジング１１に一体化されている。第２ハウジング１２の上部には雌ねじが形成されている。第３ハウジング１３も、上下端が開口した縦筒状を呈しており、外周に形成された雄ねじが第２ハウジング１２の雌ねじに螺合している。第２ハウジング１２と第３ハウジング１３とは、ハンドル８に形成された鍔部８Ｃを上下に挟むことでハンドル８を上下方向に位置決めするために分割されている。
【００２５】
「ピストン７」
ピストン７は、流路軸Ｏ１を中心として両端が開口した横筒状を呈しており、その内部は流路１４として構成される。ピストン７は、第１ハウジング１１のピストン収容部１１Ａの一端側において流路軸Ｏ１方向に移動自在に収容されており、ピストン７と第１ハウジング１１との間にはＯリング１５が介設されている。図５に示すように、ピストン７の流路軸Ｏ１方向中程の外周には、上部側を除いて大径の鍔部７Ａが形成されている。この鍔部７Ａは図１に示すように第１ハウジング１１の内壁に対して摺動する。
【００２６】
「ハンドル８」
ハンドル８は、第２ホルダ２に、流路軸Ｏ１方向と直交する鉛直方向の回転軸Ｏ２回りに回転自在に支持された棒状部材である。ハンドル８は、第３ハウジング１３から上方に突出した平板状の操作ハンドル部８Ａと、第２ハウジング１２および第３ハウジング１３に回転自在に支持される弁棒部８Ｂと、を備えた形状からなる。操作ハンドル部８Ａには開栓器等が係合される。なお、本実施形態では、操作ハンドル部８Ａと弁棒部８Ｂとは互いに別部材から構成されており、弁棒部８Ｂを第３ハウジング１３に通した後に、操作ハンドル部８Ａと弁棒部８Ｂとは互いに一体回転可能に組み付けられる。弁棒部８Ｂの途中には鍔部８Ｃが形成されており、前記したように、鍔部８Ｃが第２ハウジング１２と第３ハウジング１３とで上下に挟まれることで、ハンドル８の上下方向の位置決めがなされる。図６に示すように、弁棒部８Ｂの下端面には、回転軸Ｏ２を中心として雌ねじ８Ｄが形成されている。弁棒部８Ｂと第３ハウジング１３との間にはＯリング１６が介設されている。
【００２７】
「駆動ねじ９」
駆動ねじ９は、一端側にハンドル８の雌ねじ８Ｄと螺合する雄ねじ９Ａ（図５）が形成された棒状部材である。図５に示すように、駆動ねじ９の他端側は、ピストン７の一対の回転規制壁１８間に挟まれる部位となり、平断面視して回転規制壁１８に接する平面部を有した形状、例えば本実施形態のように円棒を二面取りした形状を呈したピストン連結部９Ｂとして構成されている。駆動ねじ９の他端近傍には、流路幅方向に貫通するピン圧入孔９Ｃが形成されている。駆動ねじ９は、ハンドル８の回転力を受けると、円棒を二面取りした形状のピストン連結部９Ｂが一対の回転規制壁１８で回転規制されるので、雌ねじ８Ｄと雄ねじ９Ａとの送りねじ作用により回転軸Ｏ２に沿って上下移動する。
【００２８】
「移動方向変換機構１０」
図５に示すように、移動方向変換機構１０は、駆動ねじ９の上下移動をピストン７の横移動に変換する機構であり、駆動ねじ９とピストン７との間に介設された長孔および該長孔を摺動するガイドピン１７を有して構成されている。ピストン７の上部には、流路軸Ｏ１方向に沿う鉛直状の一対の回転規制壁１８が互いに間隔を空けて立設されている。各回転規制壁１８には、ピストン７の一端側（メータＭ寄りの側）に向かうにしたがい上方に変位する前記長孔としての斜行案内溝孔１９が形成されている。ガイドピン１７は、中央部が駆動ねじ９のピン圧入孔９Ｃに圧入され、ピンの両端が各斜行案内溝孔１９内に摺動可能に位置する。
【００２９】
「戻り水防止機構２０」
図１において、本実施形態の第２ホルダ２は、メータＭの着脱時に下流側からの戻り水を防止するための戻り水防止機構２０を備えている。第１ハウジング１１のピストン収容部１１Ａの他端側の開口部にはアダプタ２１が螺合されている。戻り水防止機構２０は、ピストン７の他端との間で流路を開閉する止水弁体２２と、止水弁体２２を保持する弁体ガイド２３とを備えて構成されている。弁体ガイド２３は、流路軸Ｏ１を中心とする円筒状の部材であり、一端に止水弁体２２が取り付けられ、他端がアダプタ２１に螺合により取り付けられている。弁体ガイド２３は、他端側が開口形成されるとともに周壁に開口部２４が形成されていることで、その内部が第１ハウジング１１と下流側とを連通する流路を構成する。
【００３０】
「着脱機構６の組み付け手順」
着脱機構６の組み付け方法は、以下の工程を備えている。
（１）「ピストン７と駆動ねじ９とを移動方向変換機構１０を介して組み付ける工程」
この工程では、第２ホルダ２のハウジングの外部において、ピストン７と駆動ねじ９とを組み付ける。
（２）「組み付けた状態のピストン７と駆動ねじ９とを第２ホルダ２の内部に挿入する工程」
第１ハウジング１１のピストン収容部１１Ａの両端の開口部のうちで、大径に形成された他端側の開口部から、組み付けた状態のピストン７と駆動ねじ９とを、駆動ねじ９を倒した状態で第２ホルダ２の内部に挿入する。
（３）「ハンドル８を回転させ、第２ホルダ２の内部でハンドル８と駆動ねじ９とを螺合させる工程」
例えば第２ホルダ２を逆さにすることにより、駆動ねじ９を斜行案内溝孔１９から鉛直状にぶら下げた状態にすることができる。この状態で、下方からハンドル８を回して雄ねじ９Ａにハンドル８の雌ねじ８Ｄを螺合させる。勿論、この雄ねじ９Ａと雌ねじ８Ｄとの螺合途中では、第３ハウジング１３を第２ハウジング１２に対して未だ緩めた状態としてあり、鍔部８Ｃが第２ハウジング１２に当接するまでの間は、雄ねじ９Ａと雌ねじ８Ｄとが螺合するにしたがいハンドル８はピストン７側に変位することとなる。
【００３１】
以上の工程を含む組み付け方法によれば、狭隘な第２ホルダ２の内部に何ら手や治具等を差し込むことなく、ハンドル８による外部からの簡単な回転操作で、第２ホルダ２の内部で着脱機構６を組み付けることができる。
【００３２】
「着脱機構６の作用」
図６、図７を参照して着脱機構６の作用を説明する。図６において、ハンドル８を操作ハンドル部８Ａにより一方向に回転させると、駆動ねじ９のピストン連結部９Ｂが回転規制壁１８で回転規制されているので、ハンドル８の雌ねじ８Ｄと雄ねじ９Ａとの送りねじ作用により、駆動ねじ９が下降する。ガイドピン１７が斜行案内溝孔１９の孔壁を押圧しながら下がることで、ピストン７が前進し、メータＭの端部、本実施形態では逆止弁アダプタ５３のパッキン５７に圧着する。ガイドピン１７は斜行案内溝孔１９の下端側に位置するものの下端には当接せず、ガイドピン１７と斜行案内溝孔１９の下端との間には所定の距離が設定されている。これにより、仮にピストン７とパッキン５７との間で漏水したとしても、ハンドル８をさらに一方向に回転させることで、雌ねじ８Ｄと雄ねじ９Ａとの増し締めによりピストン７をパッキン５７にさらに圧着させ、漏水を阻止できる。
【００３３】
ピストン７が前進している状態では、ピストン７と止水弁体２２との間に流路が形成されるので、ピストン７の流路１４は、第１ハウジング１１の内部と弁体ガイド２３の内部を通して下流側と連通する。
【００３４】
図７において、ハンドル８を操作ハンドル部８Ａにより他方向に回転させると、雌ねじ８Ｄと雄ねじ９Ａとの送りねじ作用により、駆動ねじ９が上昇する。ガイドピン１７が斜行案内溝孔１９の孔壁を押圧しながら上がることで、ピストン７が後退する。これにより、ピストン７との圧着が解かれたメータＭの取り外しが可能となる。
【００３５】
また、ピストン７が後退すると、ピストン７と止水弁体２２とが圧着する。これにより、下流側から戻り水があったとしても、ピストン７の流路１４に流れ込むことはない。ガイドピン１７は斜行案内溝孔１９の上端側に位置しているものの上端には当接せず、ガイドピン１７と斜行案内溝孔１９の上端との間には所定の距離が設定されている。これにより、仮にピストン７と止水弁体２２との間で漏水したとしても、ハンドル８をさらに他方向に回転させることで、雌ねじ８Ｄと雄ねじ９Ａとの増し締めによりピストン７を止水弁体２２にさらに圧着させ、漏水を阻止できる。
【００３６】
「メータＭの取り外し手順」
メータＭの取り外し手順の一例を説明する。図８（ａ）は、メータＭが地中深くに設置された場合を示しており、その上流配管には止水栓３１が介設されている。通水状態では、止水栓３１は開状態であり、メータリリース１においてはピストン７がメータＭ側に前進して圧着した状態である。
【００３７】
メータＭを取り外す際は、図８（ｂ）に示すように、止水栓３１の上方の蓋３２を開き、地上から開栓器３３の回転操作により止水栓３１を閉める。次いで、メータＭの上方の蓋３４を開き、開栓器３５の下端をメータリリース１の操作ハンドル部８Ａに係合させ、地上からの開栓器３５の回転操作によりピストン７を後退させる。これにより、メータＭとピストン７との圧着を解除するとともに、下流側からの戻り水を止める。次いで、図８（ｃ）に示すように、専用治具３６を用いてメータＭを地上に引き上げる。
【００３８】
地上では、例えばメータＭの交換やメンテナンスを行う。図９に示すように、消耗品であるパッキン５５，５７、Ｏリング５４、ガスケット５６（場合により逆止弁５２も一緒に）についても必要に応じて新品に交換する。ナット５１、逆止弁アダプタ５３については再利用を基本とする。
【００３９】
以上のように、メータＭの着脱機構６として、内部に流路１４を有して流路軸Ｏ１方向に移動自在であり、前進時にメータＭの端部に圧着するピストン７と、第２ホルダ２に、流路軸Ｏ１方向と直交する回転軸Ｏ２回りに回転自在に支持されたハンドル８と、ハンドル８と螺合し、ハンドル８の回転力を受けて送りねじ作用により回転軸Ｏ２に沿って移動する駆動ねじ９と、駆動ねじ９とピストン７との間に介設された長孔（斜行案内溝孔１９）および該長孔を摺動するガイドピン１７を有し、駆動ねじ９の移動をピストン７の移動に変換する移動方向変換機構１０と、を備えるメータリリース１によれば、次のような効果が奏される。
【００４０】
（１）雌ねじ８Ｄと雄ねじ９Ａとのねじの締結力を利用してピストン７をメータＭに圧着させる構造なので、スプリングの付勢力で圧着させる構造に比して水圧の影響を受けにくく、圧着状態を安定して維持できる。
（２）ねじの締結力を利用しているので、仮にピストン７とメータＭとの圧着部で漏水したとしても、ねじの増し締めにより圧着力を容易に高めることができる。
（３）流路軸Ｏ１方向と直交する回転軸Ｏ２回りに回転するハンドル８を備えているので、メータＭが地中深くに設置される場合であっても、地上から開栓器３５等を利用してハンドル８の回転操作を容易に行える。
（４）着脱機構６が簡単な構造で済むので、メータリリース１の小型・軽量化が可能となる。
（５）送りねじの構造として、ハンドル８とピストン７との間に駆動ねじ９を設けたことにより、組み付け作業の容易なメータリリース１となる。
【００４１】
斜行案内溝孔１９をピストン７に設け、ガイドピン１７を駆動ねじ９に設けることにより、移動方向変換機構１０の構造を簡略化できる。
【００４２】
また、駆動ねじ９は、ハンドル８に螺合する雄ねじ部９Ａと、ピストン７に形成された一対の回転規制壁１８に挟まれて回転軸Ｏ２回りの回転が規制されるピストン連結部９Ｂと、を備える構成とすれば、送りねじの構造を簡略化できる。
【００４３】
さらに、第２ホルダ２に、ピストン７が後退したときピストン７に圧着して下流側からピストン７内への戻り水の浸入を阻止する戻り水防止機構２０を備える構成とすれば、雌ねじ８Ｄと雄ねじ９Ａとのねじの締結力を利用して、戻り水防止機構２０の圧着力を確保できるので、圧着状態を安定して維持できる。仮にピストン７と戻り水防止機構２０との圧着部で漏水したとしても、ねじの増し締めにより圧着力を容易に高めることができる。
【００４４】
以上、本発明の好適な実施形態を説明した。着脱機構６は、第１ホルダ３側に設ける構成にしてもよい。移動方向変換機構１０としては、斜行案内溝孔１９を駆動ねじ９側に設け、ガイドピン１７をピストン７側に設ける構成にしてもよい。また、弁棒部８Ｂと駆動ねじ９との螺合構造は、駆動ねじ９側を雌ねじとし、弁棒部８Ｂ側を雄ねじにしてもよい。
【符号の説明】
【００４５】
１      水道用メータリリース
２      第２ホルダ
３      第１ホルダ
６      着脱機構
７      ピストン
８      ハンドル
８Ａ    操作ハンドル部
８Ｂ    弁棒部
８Ｃ    鍔部
８Ｄ    雌ねじ
９      駆動ねじ
９Ａ    雄ねじ
９Ｂ    ピストン連結部
９Ｃ    ピン圧入孔
１０      移動方向変換機構
１１      第１ハウジング
１２      第２ハウジング
１３      第３ハウジング
１７      ガイドピン
１８      回転規制壁
１９      斜行案内溝孔（長孔）
２０      戻り水防止機構
Ｍ      水道用メータ
【図１】
2018096738.tif 000003
【図２】
2018096738.tif 000004
【図３】
2018096738.tif 000005
【図４】
2018096738.tif 000006
【図５】
2018096738.tif 000007
【図６】
2018096738.tif 000008
【図７】
2018096738.tif 000009
【図８】
2018096738.tif 000010
【図９】
2018096738.tif 000011